(57)【要約】【課題】庫内の特に上面に組み付けるべき部材の組付作業を容易にする手段を備える冷蔵庫の提供。【解決手段】冷蔵庫庫内において、被支持部材を支持する支持部材を支持する支持構造体を備え、前記支持構造体は、前記支持部材側に備えられる上面から上方にせり出し後方に延設されるように形成された掛止部と、庫内空間を形成する上面に前記掛止部を掛止する掛止受けとからなることを特徴とする。【選択図】図８
2020106238.tif 000002
【特許請求の範囲】
【請求項１】
冷蔵庫庫内において、
被支持部材を支持する支持部材を支持する支持構造体を備え、
前記支持構造体は、前記支持部材側に備えられる上面から上方にせり出し後方に延設されるように形成された掛止部と、
庫内空間を形成する上面に前記掛止部を掛止する掛止受けとからなることを特徴とする冷蔵庫。
【請求項２】
前記支持構造体は、前記支持部材後方に位置するようにしたことを特徴とする請求項１に記載の冷蔵庫。
【請求項３】
冷気を前記被支持部材内に排出する冷気排出口を備え、
前記被支持部材は、
収納物を収納する収納部材であり、
後方の位置であって左右どちらかに偏倚した位置に冷気を導入する冷気導入口と、前方に前方壁を形成したことを特徴とする請求項１又は２に記載の冷蔵庫。
【請求項４】
前記冷気排出口は、縦断面上方の少なくとも一部を傾斜させたことを特徴とする請求項１乃至３のいずれか１項に記載の冷蔵庫。
【発明の詳細な説明】
【技術分野】
【０００１】
本発明は、冷蔵庫に関する。
【背景技術】
【０００２】
従来から一般的に利用される冷蔵庫は、冷蔵室、冷凍室といった庫内空間の概形を形成する内箱と、外郭にあたる外箱、および、その間に充填される発泡断熱材を有する断熱箱体として形成される。冷蔵室等といった冷蔵庫庫内には、利用者の利便性向上や冷却効率向上の観点から、庫内を適当に区画するために中仕切り部材が設けられる。また、中仕切り部材に、引き出し式の収納手段を支持ガイドするための支持部材などが設けられることも多い。
【０００３】
こうした中仕切り部材を設けるにあたっては、たとえば、特許文献１のように、内箱を真空形成する際に中仕切り部材を接合する手段が開示されている。
【先行技術文献】
【特許文献】
【０００４】
【特許文献１】特開２０１４−３１９８７号公報
【発明の概要】
【発明が解決しようとする課題】
【０００５】
しかしながら、内箱の真空成型の段階では組み付けが困難な中仕切り部材も存在する。例えば、図１１に示す冷蔵庫１００のように、下方の庫内１１０が中仕切り部材１２０により左右に区画され、また、庫内１１０の上方面に引き出し式の収納手段を支持する支持部材１３０が設けられる場合、一般的には、内箱１０１に、中仕切り部材１２０、および、収納手段組み付けのための支持部材１３０の組付作業が必要となる。
【０００６】
ここで、内箱１０１等に組み付けられる中仕切り部材１２０や支持部材１３０は、断熱箱体形成の前後、すなわち、内箱１０１と外箱との間の発泡断熱材を充填発泡させる前後のどちらかのタイミングで組み付けられることとなる。冷蔵庫１００における中仕切り部材１２０のように、庫内１１０それ自体の形状や庫内１１０に設けられる他の各種部材や手段等の形状を前提に成形されている部材等は、発泡断熱材の発泡後、別の各種手段が組み付けられた後から組み付けることになる。
【０００７】
一方で、支持部材１３０の組付作業を、発泡断熱材の発泡後に行おうとすると、特に、冷蔵庫１００下部の庫内１１０の奥側で、かつ、庫内空間上面にビス止め位置がくる。そのため、作業者が作業をする上で、非常に視認性が悪く、ビス穴の位置把握が困難であるなど、組付作業が困難であるという不都合があった。
【０００８】
そのため、支持部材１３０のように、発泡断熱材の発泡後に組付作業を行うと、視認性が悪いなどの理由で作業が困難となるため、作業効率が悪くなるような手段の組付作業は、発泡断熱材の発泡前の段階で、内箱１０１に直接、組付作業をする方が望ましい。
【０００９】
しかしながら、支持部材１３０を発泡断熱材の発泡前の段階で組み付けて、発泡後に中仕切り部材１２０を組み付けようとすると、支持部材１３０が作業の邪魔になる。また、支柱１４０を避けつつ中仕切り部材１２０を入れ込む場合、中仕切り部材１２０を入れ込むスペースを支持部材１３０が塞いでしまうなど、支持部材１３０が干渉して中仕切り部材１２０の組み付けが困難である、といった不都合があった。
【００１０】
本発明の目的は、発泡断熱材の発泡、および、中仕切り部材１２０の組付作業の後に、支持部材１３０の組付作業ができるようにすることで、組付作業を容易、かつ、効率的にすることにある。
【課題を解決するための手段】
【００１１】
前述の課題に鑑み、本発明に係る冷蔵庫は、
冷蔵庫庫内において、被支持部材を支持する支持部材を支持する支持構造体を備え、前記支持構造体は、前記支持部材側に備えられる上面から上方にせり出し後方に延設されるように形成された掛止部と、庫内空間を形成する上面に前記掛止部を掛止する掛止受けとからなることを特徴とする。
【００１２】
本発明に係る冷蔵庫は、前記支持構造体は、前記支持部材後方に位置するようにしたことを特徴とする。
【００１３】
本発明に係る冷蔵庫は、さらに、冷気を前記被支持部材内に排出する冷気排出口を備え、
前記被支持部材は、
後方の位置であって左右どちらかに偏倚した位置に冷気を導入する冷気導入口と、前方に前方壁を形成したことを特徴とする。
【００１４】
本発明に係る冷蔵庫は、さらに、前記冷気排出口は、縦断面上方の少なくとも一部を傾斜させたことを特徴とする。
【発明の効果】
【００１５】
本発明に係る冷蔵庫によれば、支持部材に備えられる上面から上方にややせり出し後方に延設されるように形成される掛止部と、庫内空間を形成する上面に前記掛止部を掛止する掛止受け部材からなる支持構造体を備えるため、支持部材を掛止受け部材に引っ掛けた状態での作業が可能となる。そのため、発泡断熱材発泡後の狭い庫内で上方を見上げつつ、支持部材が落下しないように全体を押さえながらの組付作業といった困難な組付作業が強いられることがなくなる。また、これにより、発泡断熱材発泡後に中仕切り部材を組み付けた後に支持部材の組み付けができるため、支持部材と中仕切り部材が干渉することにより組み付けが困難になる、といった組付作業における前述の問題を解消することができる。
【００１６】
本発明に係る冷蔵庫によれば、支持構造を支持部材の後方に位置するようにしたので、組付作業の際、特に視認性が悪い庫内奥側において支持部材を掛止した状態で作業できるため、組付作業を容易化することができる。また、ビス止め等による固定作業を視認性の良い前方側だけとすることができる。
【００１７】
本発明に係る冷蔵庫によれば、冷気排出口から被支持部材内に冷気を排出するにあたり、被支持部材の後方の位置であって左右どちらかに偏倚した位置において冷気を導入し、被支持部材前方に前方壁を形成しているので、冷気の排出の勢いと前方壁への衝突により冷気が被支持部材内で回転循環するようになる。そのため、より確実に、かつ、速やかに被支持部材内の収納物を冷却することができる。
【００１８】
本発明に係る冷蔵庫によれば、前記冷気排出口は、縦断面上方の少なくとも一部を傾斜させているため、排出される冷気の向きが斜め下方向きとなる。そのため、被支持部材前方壁に衝突し易くなるため、被支持部材内の冷気の循環に資する。
【図面の簡単な説明】
【００１９】
【図１】一般的な冷蔵庫の外観の一例と、本実施例の説明における方向の定義を付けるための説明図である。
【図２】本実施形態に係る冷蔵庫の、特に下方の庫内に備えられる各部の分解斜視図である。
【図３】本実施形態に係る冷蔵庫の庫内の様子を示す正面図である。
【図４】図３で指示するＡ−Ａ線断面図である。
【図５】図３で指示するＥ−Ｅ線断面の要部拡大図である。
【図６】図４で指示するＢ−Ｂ線断面図である。
【図７】掛止部材の斜視図である。
【図８】図６で指示するＤ−Ｄ線断面図である。
【図９】図８の要部拡大図である。
【図１０】図４で指示するＣ−Ｃ線断面図である。
【図１１】仕切り部材のファン、および、冷気排出口近傍の透視図である。
【図１２】本発明が解決しようとする課題を説明するための冷蔵庫庫内の一例を示す斜視図である。
【発明を実施するための形態】
【００２０】
以下、図面を参照して、本発明の一実施形態に係る冷蔵庫１０について詳細に説明する。以下の本実施形態に係る冷蔵庫の説明にあたり、「上下」「左右」「前後」といった方向を示す語については、図１に示すとおりとする。すなわち、「上下」方向は、冷蔵庫１０の高さ方向に対応し、「左右」方向は、冷蔵庫１０の幅方向に対応し、「前後」方向は、冷蔵庫１０の奥行き方向に対応するものとする。これを前提に、以下、本実施形態に係る冷蔵庫１０について説明する。
【００２１】
図２、および、図３に示すように、冷蔵庫１０は、冷凍室と冷却室とを仕切るものであって、発生された冷気を庫内に送るための仕切り部材２０と、庫内１１を左右に区画する中仕切り部材３０と、中仕切り部材３０の組付位置から更に前方側に備えられる支柱部材１３と、引き出し式等の被支持部材５０と、それを支持するための支持部材４０とを備える。
【００２２】
図４に示すように、仕切り部材２０は、内部に冷気の流路となる空間を形成しており、所望の位置から冷気を庫内に導入する冷気排出口２１を備える。仕切り部材２０の左右方向ほぼ中央の位置に、冷気を庫内１１に循環させるファン２３が備えられ、その下方にエバポレータ２４を備える。また、ファン２３は、冷凍庫１０の高さ位置において上側となる位置に備えられる。
【００２３】
冷気排出口２１は、冷蔵庫庫内の構成や形状に応じて複数設けてもよい。なお、本実施形態に係る以下の説明において、冷気排出口２１とは、図示しているものを指し、それ以外の図面に表れる冷気排出口は、本実施形態においては重要でないため、図示、および、説明は省略する。
【００２４】
中仕切り部材３０は、庫内１１の空間を左右に区画する部材である。中仕切り部材３０には、引き出し式の収納庫を支持、ガイドする収納庫支持部材３１等が備えられる。
【００２５】
支持部材４０は、庫内１１を形成する上方面に固定されるものであり、被支持部材５０を掛止し、前後方向に移動自在に支持するための支持部４２を備える。また、支持部材４０は、後述する、掛止受け部材４００に掛止支持されるように支持部材４０の天面よりやや上方に張り出し、天面と略平行で後方に延びる掛止部４１を備える。
【００２６】
被支持部材５０は、たとえば、食料や飲料を収納する収納空間を備える収納部材であり、具体的には、野菜室内に更に設置される小型の簡易な収納部材であるが、これに限定されない。
【００２７】
図３乃至図５に示すように、支持部材４０は、内箱１２等による庫内１１を形成する上方面の所定の位置に組み付けられる。その状態で、一対の支持部４２が下方に延び、被支持部材５０を前後方向に移動自在に左右側から掛止支持する。
【００２８】
図６は、図４にて指示するＢ−Ｂ線断面図である。庫内１１の上面を形成する内箱１２において矩形領域１２ｓとして示す部分の下方、すなわち、内箱１２を挟んで庫内１１側に支持部材４０が組み付けられる。
【００２９】
内箱１２は、支持部材４０の組付位置において、そのやや後方位置に、凸状部１２１が形成され、頂部は掛止受け部材４００を組み付けるための開口を有する。
【００３０】
図７に示すように、掛止受け部材４００は、組み付ける際に作業者が指で保持するためのツマミ部４０１と、固着手段４０４と、略Ｕ字状形成される掛止受け４０３と、掛止受け４０３により形成される掛止部挿入空間４０２を有する。
【００３１】
図８、および、図９に示すように、内箱１２に形成される凸状部１２１の開口に、掛止受け部材４００の掛止受け４０３が庫内１１にやや入り込んだ位置で固着手段４０４により掛止受け部材４００が固定される。
【００３２】
支持部材４０が備える掛止部４１は、掛止受け部材４００の掛止部挿入空間４０２に入り込んだ状態で組み付けられる。これにより、掛止部４１が掛止受け４０３に掛かった状態となり、支持部材４０が掛止めされる。このように、支持部材４０が備える掛止部４１と、掛止受け部材４００の掛止受け４０３とが、支持部材４０を支持するための支持構造体としての役割を果たす。
【００３３】
作業者が、支持部材４０の組付作業を行うときは、まず、支持部材４０の掛止部４１を掛止部挿入空間４０２に挿入する。これにより、掛止部４１が掛止受け４０３により掛止されることで掛止部４１が支持されることになる。つまり、掛止部４１に掛止受け４０３に引っ掛かった状態にすれば、少なくとも、支持部材４０の一部が掛け止めされており落下防止に資するため、作業者が支持部材４０の組み付ける際、下方から上方に向かって支持部材４０を押さえつつ固定する作業が容易となる。
【００３４】
また、掛止部４１、および、掛止受け部材４００は、組み付けられた状態における支持部材４０の後方側に備えられることが望ましい。これにより、支持部材４０の特に後方側が掛け止めされるようになる。このような構成を採用することによって、作業者にとっては、手が届きやすく、また、視認性が向上する。さらに、作業者は、支持部材４０の前方付近だけを押さえれば支持部材４０の落下を防止することができるので、組付作業が更に容易となる。また、支持部材４０後方が掛止されるため、前方側の固定手段１２ａ，１２ｂのみを固定することで、支持部材４０の組み付けを完了することができる。
【００３５】
また、図１０、および、図５を参照しつつ、仕切り部材２０の冷気排出口２１、および、被支持部材５０との関係について説明する。蒸発器で冷却された冷気は、仕切り部材２０を介して、冷気排出口２１から排出される。冷気排出口２１は、被支持部材５０内に冷気を直接送り込むことができるように、被支持部材５０の後方近接した位置に設定される。
【００３６】
被支持部材５０には、冷気排出口２１と近接した位置関係となるように、冷気導入口５２が形成される。冷気導入口５２は、被支持部材５０の後方上縁部分を下方に窪ませ、かつ、後方にややせり出す形状となる。
【００３７】
冷気排出口２１の高さは、図５に示すように、冷気導入口５２とほぼ同じ高さから、それよりやや高い位置となるように設定するのが望ましい。また、冷気排出口２１からの冷気の排出方向が、斜め下方方向となるように冷気排出口２１の角度を適宜設定してもよいし、排出方向調整部２２を設けるようにしてもよい。
【００３８】
排出方向調整部２２は、たとえば、冷気排出口２１の冷気出口付近のみ、他の部位より角度を付けるようにしてもよい。その際、冷気排出口２１の断面上方を断面下部より長く延設することとしてもよい。ただ、これに限定されるものではない。
【００３９】
なお、図１２に示すファン２３周囲に示す矢印はファン２３からの風向きを示す。ファン２３の位置に近接する位置だと十分な風量が供給されないので、十分な冷気が冷気排出口２１から排出されるよう、冷気排出口２１はファン２３から離反した位置とする。例えば、冷気排出口２１の位置をファン２３の半径程度離した位置にするのが好適であるが、これに限定されるものではない。
【００４０】
また、図１１に示すように、被支持部材５０の冷気導入口５２は、後方側に形成される。また、被支持部材５０の冷気導入口５２は、被指示部材５０の後方側の左右どちらかに偏倚した位置となるよう形成される。
【００４１】
これにより、冷気排出口２１から斜め下方向きに排出された冷気が、冷気導入口５２を介して被支持部材５０内に導入され、冷気は排出の勢いと前方側の前方壁５１への衝突とにより、被支持部材５０内に冷気が回転循環するように冷気を排出することができる。これにより、被支持部材５０内の収納物を確実に、かつ、速やかに冷却することができる。
【００４２】
本発明は、前述の例に限定されない。被支持部材５０は、前述の説明のような収納の用に供する部材に限定されるものではなく、たとえば、棚部材、製氷皿、庫内灯の光源、または、カバー、もしくは、その他の部材であってよい。支持部材４０も同様に、棚支持部材、製氷皿支持部材、庫内灯のハウジング、など庫内上面に組み付けて被支持部材を支持する部材に広く適用できる。
【００４３】
また、前述の説明における、各部材、各手段の材料は特に限定されるものではなく、合成樹脂，各種金属など従来既知の材料を適宜利用できる。
【００４４】
前述の説明は、本発明を限定する趣旨で記載されたものではない。本発明には、その趣旨を逸脱することなく、変更、改良され得るものを含み得る。また、本発明にはその等価物が含まれる。
【符号の説明】
【００４５】
１０  冷蔵庫
１１  庫内空間
１２  内箱
１２ａ  凸状部
１２ｆ  固定手段
１３  支柱部材
２０  仕切り部材
２１  冷気排出口
２２  排出方向調整部
２３  ファン
２４  エバポレータ
３０  中仕切り部材
３１  収納庫支持部材
４０  支持部材
４１  掛止部
４２  支持部
５０  被支持部材
５１  前方壁
５２  冷気導入口
４００  掛止受け部材
４０１  ツマミ部
４０２  掛止部挿入空間
４０３  掛止受け
４０４  固着手段
【図１】
2020106238.tif 000003
【図２】
2020106238.tif 000004
【図３】
2020106238.tif 000005
【図４】
2020106238.tif 000006
【図５】
2020106238.tif 000007
【図６】
2020106238.tif 000008
【図７】
2020106238.tif 000009
【図８】
2020106238.tif 000010
【図９】
2020106238.tif 000011
【図１０】
2020106238.tif 000012
【図１１】
2020106238.tif 000013
【図１２】
2020106238.tif 000014